(57)【要約】【課題】  音による演出の効果を高めることができる遊技機を提供する。【解決手段】  遊技機の前側には、スピーカ５５と、そのスピーカ５５の前方を音響空間７１を隔てて覆う音反射体７０とがそれぞれ配設される。音反射体７０にはスピーカ５５が発する音を所定方向に反射する反射面７２が形成されるとともに、音反射体７０の一側部には、反射面７２から反射された音を放出する放出口が形成されている。【選択図】  図１
2010075746.tif 000002
【特許請求の範囲】
【請求項１】
遊技機の前側には、スピーカと、そのスピーカの前方を音響空間を隔てて覆う音反射体とがそれぞれ配設され、
前記音反射体には前記スピーカが発する音を所定方向に反射する反射面が形成されるとともに、前記音反射体の一側部には、前記反射面から反射された音を放出する放出口が形成されていることを特徴とする遊技機。
【発明の詳細な説明】
【技術分野】
【０００１】
この発明は、例えば、パチンコ機（アレンジボール機、雀球機等も含む）、スロットマシン等の遊技機に関する。
【背景技術】
【０００２】
従来、遊技機において、音を発して遊技演出を図るために、遊技機の前側に配設された開閉体（ガラス扉と呼ばれる）、前枠体等の前側構成部材の所定位置にスピーカが設置され、そのスピーカの前側にスリット孔を有する保護カバー体が設けられたものが知られている。
また、ディスプレー部の背部に音声伝達経路を形成するとともに、ディスプレー部の外周部に音出口を形成し、音声伝達経路のうち、音出口の奥側に離間する部位にスピーカを設けたものが知られている（例えば、特許文献１参照）。
【先行技術文献】
【特許文献】
【０００３】
【特許文献１】特願２００２−１３６６４６公報（第２−４頁、図２）
【発明の概要】
【発明が解決しようとする課題】
【０００４】
ところで、ディスプレー部の背部に音声伝達経路を形成した従来のものにおいては、そのディスプレー部の外周部に音出口が形成される構造上、音出口の奥側に離間して配設されたスピーカが発する音、特に高音域の音を遊技者に指向させることが困難であった。
【０００５】
この発明の目的は、前記問題点に鑑み、スピーカが発する音を遊技者に指向さることができ、音による演出の効果を高めることができる遊技機を提供することである。
【課題を解決するための手段】
【０００６】
前記目的を達成するために、手段１の発明に係る遊技機は、請求項１に記載のとおりの構成、すなわち、「遊技機の前側に設けられた前構成体には、スピーカと、そのスピーカの前方を音響空間を隔てて覆う音反射体とがそれぞれ配設され、
前記音反射体には前記スピーカが発する音を所定方向に反射する反射面が形成されるとともに、前記音反射体の一側部には、前記反射面から反射された音を遊技者に向けて放出する放出口が形成され、
前記音反射体の前側面は、前記前構成体の前側において露出しかつ装飾性を有する意匠面を構成していることを特徴とする遊技機。」を要旨とする。
したがって、手段１の発明に係る遊技機によると、スピーカが発する音はそのスピーカの前方に音響空間を隔てて覆う音反射体によって反射され放出口から遊技者に向けて放出される。このため、スピーカが発する音、特に高音域の音が遊技者に対し効率良く伝達され、音による演出効果が高められる。
また、音反射体の前側面の意匠面によって装飾効果も高めることができる。
【０００７】
手段２の発明に係る遊技機は、「遊技機の前側に設けられた前構成体には、左右の両スピーカと、装飾性を有する装飾部材とがそれぞれ配設され、
前記装飾部材には、前記両スピーカの前方を音響空間を隔ててそれぞれ覆う左右の両音反射体がそれぞれ設けられ、
前記両音反射体には前記両スピーカが発する音を所定方向に反射する反射面がそれぞれ形成されるとともに、前記両音反射体の一側部には、前記各反射面から反射された音を遊技者に向けて放出する放出口がそれぞれ形成され、
前記両音反射体の前側面は、前記前構成体の前側において露出しかつ装飾性を有する意匠面を構成していることを特徴とする遊技機。」を要旨とする。
したがって、手段２の発明に係る遊技機によると、左右の両スピーカが発する音は、これら両スピーカの前方に音響空間を隔ててそれぞれ覆う左右の両音反射体によって反射され放出口から遊技者に向けて放出される。このため、左右の両スピーカが発する音、特に高音域の音が遊技者に対し効率良く伝達され、音による演出効果が高められる。
また、左右の両音反射体の前側面の意匠面によって装飾効果も高めることができる。
【０００８】
手段３の発明に係る遊技機は、手段１又は２に記載の遊技機であって、音反射体の反射面は３次元曲面に形成されている。
したがって、手段３の発明に係る遊技機によると、スピーカが発する音を音反射体の３次元曲面をなす反射面によって反射して放出口から遊技者に向けて放出することで、音響効果を高めることが可能となる。
【０００９】
手段４の発明に係る遊技機は、手段１〜３のいずれかに記載の遊技機であって、音反射体の反射面の少なくとも一部には、音の反射角度を変化可能な可動反射面が設けられている。
したがって、手段４の発明に係る遊技機によると、音反射体の反射面の少なくとも一部に設けられた可動反射面によって音の反射角度を変化させることで、放出口から遊技者に向けて放出される音に強弱感を与えたり、あるいは遊技者の体格の変化（遊技者の耳の高さ位置の変化）に対応して音を効率良く放出することができる。
【００１０】
手段５の発明に係る遊技機は、手段１〜４のいずれか一項に記載の遊技機であって、音反射体の意匠面には発光部が形成されている。
したがって、手段５の発明に係る遊技機によると、音反射体の意匠面に形成された発光部によって装飾性を高めることができる。
【発明の効果】
【００１１】
以上述べたように、この発明によれば、スピーカの前方に音響空間を隔てて覆う音反射体によってスピーカが発する音、特に高音域の音を遊技者に対し効率良く伝達することができ、音による演出効果を高めることができる。しかも、音反射体の前側面の意匠面によって装飾効果も高めることができる。
【図面の簡単な説明】
【００１２】
【図１】この発明の実施の形態１に係る遊技機としてのパチンコ機を示す正面図である。
【図２】同じくパチンコ機の平断面図である。
【図３】同じく扉本体、装飾部材、スピーカ、音反射体の関係を示す説明図である。
【図４】同じく主制御装置、音制御基板、ランプ制御基板、スピーカ、発光体の関係を示すブロック図である。
【図５】この発明の実施の形態２を示す説明図である。
【発明を実施するための形態】
【００１３】
（実施の形態１）
この発明の実施の形態１を図１〜図４にしたがって説明する。
遊技機としてのパチンコ機を正面から表した図１及び平断面で表した図２において、パチンコ機の外枠体１０の前側には、周知のように前枠体１１が前枠ヒンジ機構によって開閉可能に装着されている。この前枠体１１は施錠装置によって閉じ状態に施錠される。
前枠体１１は、遊技盤３０に対応する大きさの開口部が形成され、同前枠体１１の後面には、その開口部の周縁部に沿って枠状をなしかつ後述する遊技盤３０を着脱可能に装着するための遊技盤装着枠２０が一体状に設けられている。そして、遊技盤装着枠２０には、その後方開口部からパネル体としての遊技盤３０が嵌込まれて装着されている。
【００１４】
また、遊技盤装着枠２０の後側面には、遊技盤３０を装着状態（嵌込み状態）に保持する留め位置と、遊技盤３０を着脱可能な着脱位置とに配置切り換え可能に取り付けられた所要数の留め具２２が配設されている。
また、遊技盤装着枠２０には、機構板（裏セット板と呼ばれることがある）２１がその一側においてヒンジ部２５を支点として後方に開閉可能に配設されている。この機構板２１の後側面には球タンク、タンクレール、球払出装置等が装着される。
また、機構板２１は、遊技盤３０の後側に位置しかつ遊技盤３０後側のカバー体３６や、基板ボックス装置３７等が挿通される開口部を中央部に備えて枠状に形成されている。
【００１５】
遊技盤３０は、木質合板材を主体として方形に形成されている。この遊技盤３０の前面には、外側レール３２と内側レール３３とを備えた案内レール３１が装着されている。そして、遊技盤３０の前面の案内レール３１の内側には、略円形をなす遊技領域３５が区画形成されている（図１参照）。
また、外側レール３２と内側レール３３との間には、球発射装置（図示しない）から発射された球を遊技領域３５に向けて案内する球発射通路３４が設けられている。
また、遊技盤３０の遊技領域３５の略中央部には、センター役物４０が装着され、そのセンター役物４０には、図柄表示装置４１が、その表示面４２を遊技者が視認可能に配設されている。この図柄表示装置４１の表示面４２には抽選図柄が変動表示されるようになっている。
また、遊技盤３０の遊技領域３５には、始動口４３、大入賞口４６を開閉可能な開閉体４７を有するアタッカ装置４５、各種入賞器、風車器、アウト口、多数の誘導釘（図示しない）等がそれぞれ適宜に配設されている。
【００１６】
また、図２に示すように、遊技盤３０の後面には、同後面に装着された周知の裏誘導部材を覆うようにしてカバー体３６が装着され、そのカバー体３６の後面には主制御装置を構成する主制御基板が収納される基板ボックス装置３７や、後述する発光体６６を点滅制御するランプ制御基板、及び後述するスピーカ５５を作動制御する音制御基板を有する副制御装置（図示しない）が装着されている。
【００１７】
遊技機としてのパチンコ機の前側に設けられた前構成体（例えば、扉体５０）には、スピーカ５５と、そのスピーカ５５の前方を音響空間７１を隔てて覆う音反射体７０とがそれぞれ配設されている。
この実施の形態１において、図１と図２に示すように、前枠体１１の前側にヒンジ機構によって開閉可能に装着された扉体５０の扉本体５１を前構成体としている。
すなわち、扉体５０は、所要とする強度をもって形成された扉本体５１と、その扉本体５１の前面の略全域あるいは一部に装着された装飾性を有する装飾部材６０と、を備えて構成されている。
扉本体５１には、遊技盤３０の遊技領域３５を透視可能な開口窓が形成され、その開口窓にはガラス板、透明樹脂板等よりなる透明板５３が装着されている（図２参照）。
【００１８】
図１と図３に示すように、扉本体５１の前面の上部左右２箇所にはスピーカ５５が前向きにそれぞれ装着されている。また、扉本体５１の前側の略全域あるいは少なくとも上部には、単数又は複数の構成部材よりなる装飾部材６０が装着されている。
この実施の形態１において、扉本体５１の前側の略全域にわたって装飾部材６０が装着されている。
この装飾部材６０には、その上部中央部に上装飾体６１ａが、下部左右両側部に下サイド装飾体６１ｂがそれぞれ前方に向けて凸湾曲状をなして設けられている。そして、これら上下の各装飾体６１ａ、６１ｂ前面の装飾面には、単数又は複数のレンズ等よりなる発光部６３ａ、６３ｂが適宜に設けられている。そして、各装飾体６１ａ、６１ｂと扉本体５１との間（この実施の形態１では扉本体５１の前面）には、単数又は複数のランプ、ＬＥＤ等よりなる発光体６６が配設されたランプ基板６５が装着されている（図３参照）。
【００１９】
装飾部材６０には、その上装飾体６１ａの左右両側部に隣接しかつ左右の両スピーカ５５の前方を音響空間７１を隔ててそれぞれ覆う左右の両音反射体７０がそれぞれ設けられている。
両音反射体７０には両スピーカ５５が発する音を所定方向に反射する音反射面７２がそれぞれ形成されるとともに、両音反射体７０の一側部には、各音反射面７２から反射された音を遊技者に向けて斜め下向きに放出する放出口７５がそれぞれ形成されている。
また、両音反射体７０は前方に向けて凸湾曲状に形成され、その音反射面７２は凸湾曲状に沿う３次元曲面に形成されている。
また、両音反射体７０の前側面は、扉本体５１の前側において露出しかつ装飾性を有する意匠面７３を構成している。
また、音反射体７０の意匠面７３には、単数又は複数のレンズ等よりなる発光部７４が適宜に設けられている。そして、音反射体７０と扉本体５１との間（この実施の形態１では扉本体５１の前面）には、前に述べた上装飾体６１ａに対するランプ基板６５のランプ、ＬＥＤ等よりなる発光体６６によって照明されるようになっている（図３参照）。なお、音反射体７０に対応する専用の発光体を音反射体７０と扉本体５１との間に配設してもよい。
【００２０】
この実施の形態１に係る遊技機は上述したように構成される。
したがって、遊技の際、球発射通路３４から遊技領域３５に打ち出された球が始動口４３に流入すると、その球が始動口センサによって検出され、その検出信号が主制御装置に送られる（図４参照）。
すると、主制御装置からの制御信号が図柄表示装置４１に伝達され、これによって表示面４２に表示された図柄が変動し、設定時間後停止する。そして、表示面４２には抽選結果に基づく図柄が表示される。
表示面４２に表示された図柄が「大当たり図柄」、例えば「７・７・７」となって停止した場合、大当たりとなる。すると、アタッカ装置４５の開閉体４７によって大入賞口４６が開かれる。大入賞口４６に球が１０個流入するか、あるいは、３０秒経過すると、開閉体４７によって大入賞口４６が閉じられる。
大入賞口４６の開放時において、その大入賞口４６に設けられた特定領域に球が入ると、開閉体４７によって大入賞口４６が一旦閉じられた後、再び開かれる。開閉体４７によって大入賞口４６が所定回数、例えば、最大１６回（すなわち１６ラウンド）開閉を繰り返すことで、大当たり遊技が終了する。
【００２１】
遊技の際、例えば、表示面４２に表示された図柄がリーチ状態となったとき（リーチ状態となる直前や直後も含む）、あるいは大当たりとなったとき（大当たりとなる直前や直後も含む）において、主制御装置から音制御基板に伝達され、これに基づいて音制御基板から出力される制御信号によって左右の両スピーカ５５のうち、少なくとも一方のスピーカ（この実施の形態１では左右の両スピーカ５５）が作動される。
すると、スピーカ５５が発する音（特に高音域の音）は、音反射体７０の音反射面７２に反射され、放出口７５から遊技者に向けてそれぞれ放出される。
このため、遊技者は放出口７５から放出される音（例えば、ステレオ音）を聞くことで、リーチ状態となったこと、あるいは大当たりとなったことを瞬時に、あるいは事前にあるいは事後に認識することができる。
【００２２】
また、この実施の形態１においては、左右の両音反射体７０の音反射面７２は３次元曲面（例えば、湾曲面をなす３次元曲面）に形成されている。このため、両スピーカ５５が発する音をそれぞれの音反射体７０の３次元曲面をなす音反射面７２によって反射して放出口から遊技者に向けて放出することで、音響効果を高めることが可能となる。
また、この実施の形態１において、左右の両音反射体７０の前側面は、扉本体５１の前側において露出しかつ装飾性を有する意匠面７３を構成している。このため、左右の両音反射体７０の前側面の意匠面７３によって装飾効果も高めることができる。
【００２３】
また、この実施の形態１において、遊技の際、例えば、表示面４２に表示された図柄がリーチ状態となったとき（リーチ状態となる直前や直後も含む）、あるいは大当たりとなったとき（大当たりとなる直前や直後も含む）において、主制御装置からランプ制御基板に伝達される制御信号に基づいてランプ基板６５の発光体６６が点灯、あるいは点滅制御される（図３及び図４参照）。
そして、発光体６６の光が左右の両音反射体７０の意匠面７３に形成された発光部（レンズ）７４から出射される。言い換えると、発光部７４が発光状態となり、装飾性を高めたり、遊技の興趣を高めることができる。
【００２４】
（実施の形態２）
次に、この発明の実施の形態２を図５にしたがって説明する。
図５に示すように、この実施の形態２においては、扉体５０の扉本体５１の前側に装着されたスピーカ５５の前方に音響空間１７１を隔てて配設された音反射体１７０において。その少なくとも一部に、音の反射角度を変化可能な可動反射面１７２ａを有する可動反射体１７０ａが軸１７５を中心として回動変位可能に設けられている。
また、図５に示すように、モータ等の電動アクチュエータ１７６を駆動源として可動反射体１７０ａを軸１７５を中心として正逆方向に回動させることもできる。
そして、主制御装置によって電動アクチュエータ１７６を作動制御することによって、任意の時期、例えば、表示面４２に表示された図柄がリーチ状態となったとき（リーチ状態となる直前や直後も含む）、あるいは大当たりとなったとき
（大当たりとなる直前や直後も含む）において、主制御装置によって電動アクチュエータ１７６を作動制御して可動反射体１７０ａを軸１７５を中心として正逆方向に回動させることもできる。
この実施の形態２のその他の構成は、前記実施の形態１と略同様に構成されるため、その説明は省略する。
【００２５】
したがって、この実施の形態２においては、音反射体７０の少なくとも一部に設けられた可動反射体１７０ａの可動反射面１７２ａによって音の反射角度を変化させることができる。このため、放出口から遊技者に向けて放出される音に強弱感を与えたり、あるいは遊技者の体格の変化（遊技者の耳の高さ位置の変化）に対応して音を効率良く放出することができる。
また、この実施の形態２において、可動反射体１７０ａの可動反射面１７２ａは平坦面に形成してもよいが、３次元曲面に形成してもよい。また、可動反射体１７０ａの意匠面１７３ａにおいても、平坦面に形成してもよいが、３次元曲面に形成してもよい。さらに、可動反射体１７０ａの意匠面１７３ａの少なくとも一部に発光部（レンズ）を設けることも可能である。
また、可動反射体１７０ａの電動アクチュエータ１７６をスイッチ操作によって遊技者が操作可能に構成することも可能である。この場合、スイッチ操作によって遊技者が聞き易い位置に可動反射体１７０ａを操作することができる。
また、可動反射体１７０ａを手動操作によって角度調整可能に構成することも可能である。
【００２６】
なお、この発明は前記実施の形態１又は２に限定するものではない。
例えば、前記実施の形態１及び２においては、パチンコ機（遊技機）の前側に設けられた前構成体が扉体５０の扉本体５１であり、その扉本体５１前面の上部左右２箇所にスピーカ５５と、音反射体７０とがそれぞれ設けられる場合を例示したが、スピーカ５５及び音反射体７０は単数であっても良く、また２個以上の複数であってもよい。さらに、スピーカ５５及び音反射体７０の配設位置においては適宜に設定すればよい。
また、前記実施の形態１及び２においては、音反射体７０の意匠面７３の少なくとも一部に発光部（レンズ）７４が設けられたり、あるいは可動反射体１７０ａの意匠面１７３ａの少なくとも一部に発光部（レンズ）が必要に応じて設けられる場合を例示したが、音反射体７０あるいは可動反射体１７０ａを着色透明または半透明の合成樹脂よりレンズ状に形成して、音反射体７０の意匠面７３あるいは可動反射体１７０ａの意匠面１７３ａ全体を発光部（レンズ）としてもよい。
また、音反射体７０の意匠面７３あるいは可動反射体１７０ａの意匠面１７３ａに発光部は必ずしも設ける必要はなく、必要に応じて設ければよい。
また、パチンコ機（遊技機）の前側に設けられる前構成体としては、扉体５０の扉本体５１以外に、前枠体１１、あるいはその前枠体１１の前側に装着される部材であってもこの発明を実施することができる。
また、パチンコ機の他、スロットマシン等の遊技機であってもこの発明を実施することができる。
【符号の説明】
【００２７】
１１  前枠体
５０  扉体（構成部体）
５１  扉本体（構成部体）
５５  スピーカ
６０  装飾部材
６６  発光体
７０  音反射体
７１  音響空間
７２  音反射面
７３  意匠面
７４  発光部
【図１】
2010075746.tif 000003
【図２】
2010075746.tif 000004
【図３】
2010075746.tif 000005
【図４】
2010075746.tif 000006
【図５】
2010075746.tif 000007
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
遊技機の前側に設けられた前構成体に配設されたスピーカと、
前記スピーカから発せられる音を反射する反射面を有し、該スピーカの前方に配設された可動反射体と、
前記スピーカと前記可動反射体との間の音響空間に向けて前記スピーカから発せられる音を反射させながら前記可動反射体を正逆方向に回動させることが可能な制御手段と、
図柄が変動表示される表示装置と
を備え、
前記制御手段は、
前記表示装置にて変動表示されている図柄がリーチ状態となったときに、前記反射体の反射角度の変化により前記スピーカから発せられる音に強弱感が与えられるように、前記可動反射体を正逆方向に回動させうる回動制御手段を有する
ことを特徴とする遊技機。
【請求項２】
前記可動反射体の反射角度を変更可能な操作スイッチをさらに備え、
前記回動制御手段は、前記操作スイッチが操作されたことに基づいて、前記可動反射体の反射角度を変える
請求項１に記載の遊技機。
【請求項３】
前記反射可動体の前側面に、前記可動反射体と一体的に回動する発光部が備えられている
請求項１または２に記載の遊技機。
【手続補正２】
【補正対象書類名】明細書
【補正対象項目名】０００６
【補正方法】変更
【補正の内容】
【０００６】
前記目的を達成するための手段１の発明に係る遊技機は、遊技機の前側に設けられた前構成体に配設されたスピーカと、前記スピーカから発せられる音を反射する反射面を有し、該スピーカの前方に配設された可動反射体と、前記スピーカと前記可動反射体との間の音響空間に向けて前記スピーカから発せられる音を反射させながら前記可動反射体を正逆方向に回動させることが可能な制御手段と、図柄が変動表示される表示装置とを備え、前記制御手段は、前記表示装置にて変動表示されている図柄がリーチ状態となったときに、前記反射体の反射角度の変化により前記スピーカから発せられる音に強弱感が与えられるように、前記可動反射体を正逆方向に回動させうる回動制御手段を有することを要旨とする。したがって、手段１の発明に係る遊技機によると、スピーカが発する音はそのスピーカの前方に音響空間を隔てて覆う可動反射体によって強弱感を与えられて遊技者に伝達されるため、図柄がリーチ状態になったときの音による演出効果が高められる。また、音反射体の前側面の意匠面によって装飾効果も高めることができる。
【手続補正３】
【補正対象書類名】明細書
【補正対象項目名】０００７
【補正方法】変更
【補正の内容】
【０００７】
手段２の発明に係る遊技機は、手段１に記載の遊技機であって、前記可動反射体の反射角度を変更可能な操作スイッチをさらに備え、前記回動制御手段は、前記操作スイッチが操作されたことに基づいて、前記可動反射体の反射角度を変えることを要旨とする。したがって、手段２の発明に係る遊技機によると、反射面を正逆方向に回動させて音に強弱感を与えるとともに、可動反射体の位置を変えることにより音の強弱感を更に変化させて演出効果を高めることができる。
【手続補正４】
【補正対象書類名】明細書
【補正対象項目名】０００８
【補正方法】変更
【補正の内容】
【０００８】
手段３の発明に係る遊技機は、手段１又は２に記載の遊技機であって、前記反射可動体の前側面に、前記可動反射体と一体的に回動する発光部が備えられていることを要旨とする。したがって、手段３の発明に係る遊技機によると、聴覚に与える印象の変化と視覚に与える印象の変化との２つの変化を、可動反射体の回動という一つの動作で実現することができ、演出効果を安価に高めることができる。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】